(57)【特許請求の範囲】
【請求項１】
マグネット材料で円筒形状部と羽根駆動部と第１の軸部と第２の軸部が一体的に形成され、前記円筒形状部の少なくとも外周面が周方向に分割して異なる極に交互に着磁されたマグネットと、
前記マグネットと同心でかつ、前記マグネットに対して軸方向隣り合う位置に配置されるコイルと、
前記第１の軸部が回転可能に嵌合し、前記コイルにより励磁される外側磁極部と内筒部が前記マグネットの外周面及び内周面に対向したステータと、
前記内筒部に固定される補助ステータと、
前記第２の軸部が回転可能に嵌合し、開口部を備えた地板と、
前記羽根駆動部により駆動され前記地板の開口部の開口量を調節する光量調節羽根とを備え、
前記外側磁極部を前記マグネットの前記外周面の１８０度以下の範囲のみに対向するように形成するとともに、前記補助ステータの外径部のうち前記外側磁極部に対向する対向部が、前記補助ステータの外径部のうち前記外側磁極部が対向していない範囲よりも前記マグネットの前記内周面に向かって突出するように形成し、
前記羽根駆動部を前記マグネットの外周面のうち、前記外側磁極部が対向していない範囲に形成することを特徴とする光量調整装置。
【発明の詳細な説明】
【０００１】
【産業上の利用分野】
本発明は、カメラのシャッタ特にレンズシャッターカメラのシャッタ装置やビデオカメラの絞り装置等の光量調節装置に関する。
【０００２】
【従来の技術】
従来のレンズシャッターカメラのシャッタ装置としては図５に示すものがある。１０１は永久磁石、１０２は駆動レバー、１０２ａは駆動レバーに設けられた駆動ピンである。駆動レバー１０２は永久磁石１０１に固着され永久磁石１０１と一体的に回転する。１０３はコイル、１０４、１０５は軟磁性材料からなりコイルにより励磁されるステータである。ステータ１０４とステータ１０５とは１０４ａと１０５ａにおいて接合されており磁気回路上一体となっている。コイル１０３への通電によりステータ１０４及びステータ１０５が励磁され永久磁石１０１は所定の角度内を回転駆動する。１０６、１０７はシャッタ羽根であり、１０８は地板である。シャッタ羽根１０６、１０７は地板１０８のピン１０８ａ、１０８ｂに１０６ａ，１０７ａにおいて回転可能に取り付けられ、長穴１０６ｂ、１０７ｂが前記駆動ピン１０２ａに摺動可能に嵌合し、永久磁石１０１とともに駆動レバー１０２が回転する事でシャッタ羽根１０６、１０７は回転中心１０６ａ，１０７ａを中心に回転駆動され不図示の開口を開閉する。
【０００３】
この他の形態としてはコストアップを防ぐ為に永久磁石をプラスチックマグネットで形成し駆動ピンを一体的に成形したものもある。１０９はシャッタ羽根１０６、１０７を地板１０８との間で移動可能に保持する前地板であり、１１０はステータ１０４、１０５を保持し永久磁石１０１を回転可能に保持する後地板である。
【０００４】
【発明が解決しようとする課題】
上記シャッタ装置はコイルやステータにより地板の多くの範囲を占めてしまい他のアクチエータやレンズのガイド棒等を配置する事が困難になってしまう。
【０００５】
また、上記シャッタ装置の永久磁石１０１は光軸を中心とする円周方向の両隣をステータ１０４で占められる為に駆動ピン１０２ａを光軸を中心とする円の半径方向に移動するように構成する為には駆動ピン１０２ａは永久磁石１０１の軸方向に関してステータ１０４と重複しない位置になるよう構成しなければならない。駆動ピン１０２ａを永久磁石と一体的に成形したものの場合駆動ピンも着磁されてしまう事が多いのでその場合ステータに近いと出力特性に悪影響を及ぼしてしまう。
【０００６】
永久磁石１０１と駆動ピン１０２ａとを別の材質で製造しこれを駆動レバー等を介して接着や圧入で一体化する方法はコストアップを招いたり着磁の位相と駆動ピンの位置との間で組み立て誤差が生じて出力特性が不安定なものとなる傾向がある。
【０００７】
したがって、本発明の目的はシャッタ装置や絞り装置等の光量調節装置のアクチエータが地板上において多くの範囲を占めないコンパクトなものを提供する事にある。
【０００８】
また、本発明の目的は出力特性が安定し、しかも低コストの光量調節装置とする事にある。
【０００９】
【課題を解決するための手段】
本発明の光量調整装置は、マグネット材料で円筒形状部と羽根駆動部と第１の軸部と第２の軸部が一体的に形成され、前記円筒形状部の少なくとも外周面が周方向に分割して異なる極に交互に着磁されたマグネットと、前記マグネットと同心でかつ、前記マグネットに対して軸方向隣り合う位置に配置されるコイルと、前記第１の軸部が回転可能に嵌合し、前記コイルにより励磁される外側磁極部と内筒部が前記マグネットの外周面及び内周面に対向したステータと、前記内筒部に固定される補助ステータと、前記第２の軸部が回転可能に嵌合し、開口部を備えた地板と、前記羽根駆動部により駆動され前記地板の開口部の開口量を調節する光量調節羽根とを備え、前記外側磁極部を前記マグネットの前記外周面の１８０度以下の範囲のみに対向するように形成するとともに、前記補助ステータの外径部のうち前記外側磁極部に対向する対向部が、前記補助ステータの外径部のうち前記外側磁極部が対向していない範囲よりも前記マグネットの前記内周面に向かって突出するように形成し、前記羽根駆動部を前記マグネットの外周面のうち、前記外側磁極部が対向していない範囲に形成することを特徴とする。
【００１０】
上記構成において前記コイルはマグネットと軸方向に配置されるので地板上において多くの範囲を占めないコンパクトなアクチエータとなりマグネットの外周面と内周面に対向する外側磁極部と内側磁極部とでマグネットを挟む磁路となるので磁気抵抗が少なくまたコイルにより発生する磁力線が効果的にマグネットに作用する為出力の高いアクチエータとなり結果的にコンパクトで安定した動作特性を備えたシャッタ装置とする事ができる。
【００１２】
駆動ピンは外側磁極とは離れたところに位置する為駆動ピンを永久磁石の材料で構成しても駆動ピン部における発生する電磁力は非常に小さくマグネット全体の出力特性に影響を及ぼさずシャッタ装置の安定したアクチエータとする事ができる。
【００１３】
また駆動ピンはマグネットと一体的に成形されるので別部品で構成される場合に比べ低コストで少ない組み立て誤差となる。またマグネットの回転軸に関して外側磁極とは重複する位置に駆動ピンを配置できるので概略円筒形状の本アクチエータの軸方向の長さを低く抑える事もできる。
【００１４】
【実施例】
（実施例１）
図１〜図４は本発明の実施例を示す図であり、そのうち、図１は絞り羽根駆動機構の分解斜視図であり、図２は断面図、図３は非通電時の図２のＡ−Ａ断面図、図４はコイルへ最大通電時の図２のＡ−Ａ断面図である。
【００１５】
１はプラスチックマグネット材料からなり概略円筒形状のマグネットであり少なくても外周面を円周方向に２分割してS極、N極に着磁されている。着磁部１ａは外周面がＮ極、着磁部１ｂは外周面がＳ極に着磁されている。
【００１６】
２は円筒形状のコイルであり、コイル２は前記マグネット１と同心でかつ、マグネット１を軸方向隣り合う位置に配置され、コイル２はその外径が前記マグネット１の外径とほぼ同じ寸法である。
【００１７】
３は軟磁性材料からなるステータで、ステータ３は外筒および円柱柱形状の内筒３ｂからなっている。ステータ３の外筒はその先端部が歯形状の外側磁極３ａを形成している。外側磁極３ａはマグネット１の外周面に所定の隙間を持って所定の角度のみに対向するように構成されている。本実施例では前記所定の角度は１８０度以下である。
【００１８】
４は補助ステータで内径部４ａがステータ３の内筒３ｂに嵌合して固着されかつ外径部には前記ステータの外側磁極３ａに対向した位相に対向部４ｂ部が形成されている。
【００１９】
ステータ３の円柱形状の内筒３ｂと補助ステータ４とで内側磁極を構成している。
マグネット１には外側磁極３ａと対向していない位置に腕１ｃが一体的に形成されており腕１ｃの先端には羽根駆動ピン１ｄが形成されている。また概略円筒状であるマグネット１の軸方向の位置に関して外側磁極３ａとは重複する位置に腕１ｃを配置している。また羽根駆動ピン１ｄは後述の地板５の開口部５ａの中心に向かう或いは離れる方向すなわち半径方向に概略移動するように配置されている。
【００２０】
５は本光量調節装置の地板である。地板は開口部５ａを備えている。前記マグネット１は軸部１ｅが地板５の５ｄ部に回転可能に嵌合し軸部１ｆがステータ３の穴３ｃ部に回転可能に嵌合し取り付けられている。ステータ３は外側磁極３ａ部において地板５に固定されている。
【００２１】
６はトーションスプリングで内径部６ｃが地板５のダボ５ｅに嵌まり腕６ｂは地板５のダボ５ｆに固定され腕６ａがマグネット１の腕１ｃ上のピン１ｇに当接し図３においてマグネット１を時計回り方向に付勢する。マグネット１の腕はこの状態では地板５の突起部５eに腕１ｃが当接し係止される。図３に示すこの状態はコイル２への通電がなされていない状態である。
【００２２】
７、８は光量調節羽根であり穴７ａ、８ａがそれぞれ地板５のピン５ｂ、５ｃに回転可能に嵌合している。また長穴７ｂ、８ｂはマグネット１の駆動ピン１ｄに摺動可能に嵌合しておりマグネット１の回転に応じて地板５の開口部５ａの開口量を変化させる。
【００２３】
図３のマグネット１の回転位置は光量調節羽根８、９により開口５ａを閉じた状態であり図４のマグネット１の回転位置は光量調節羽根８、９はり開口５ａより待避した位置であり開口部５ａを開放状態にしている状態である。
【００２４】
９は前地板で地板５との間に所定の空間を保ち該空間に前記光量調節羽根８、９が移動可能に保持するものである。
【００２５】
図３の状態からコイル２に通電を行ないステータ３の外側磁極３ａをＳ極、内側磁極である補助ステータ４をＮ極に励磁するとコイル２に流す電流量に応じてトーションスプリング６の付勢力に抗してマグネット１は反時計回りに回転し所望の回転位置になり光量調節羽根７、８を回転させ開口量を調節する。コイル２への電流を最大値にすると図４に示すマグネット１の位置になり開口５ａは前記光量調節羽根８、９により遮られない最大開口となる。コイル２への電流を切れば図３に示す状態になり光量調節羽根７、８は地板５の開口５ａを遮蔽する。
【００２６】
カメラのシャッタ装置として用いるのならばコイルへの通電時間を変化させる事で露光量を調節する事ができ、ビデオカメラの絞り調節機構として用いるのであればコイル２への通電電流値を変更する事により露光量を調節する事ができる光量調節装置となる。
【００２７】
駆動ピン１ｄは外側磁極とは離れたところに位置する為駆動ピンを永久磁石の材料で構成し駆動ピンが着磁されても駆動ピン部における発生する電磁力は非常に小さくマグネット全体の出力特性に影響を及ぼさずシャッタ装置の安定したアクチエータとする事ができる。また駆動ピンはマグネットと一体的に成形されるので別部品で構成される場合に比べ低コストで少ない組み立て誤差となる。またマグネットの回転軸に関して外側磁極とは重複する位置に駆動ピンを配置できるので概略円筒形状の本アクチエータの軸方向の長さＬ(図２参照)を低く抑える事もできる。
【００２８】
上記構成において前記コイルはマグネットと軸方向に配置されるので図３においてＨで示す寸法に関して地板上において多くの範囲を占めないコンパクトなアクチエータとなりまた、マグネットの外周面と内周面に対向する外側磁極部と内側磁極部とでマグネットを挟む磁路となるので磁気抵抗が少なくまたコイルにより発生する磁力線が効果的にマグネットに作用する為出力の高いアクチエータとなり結果的にコンパクトで安定した動作特性を備えた光量調節装置とする事ができる。
【００２９】
ステータ３の外側磁極をマグネット１の軸方向と平行方向に延出する歯により構成しているのでステータ３の直径はマグネット直径に磁気ギャップと自らの肉厚を加えた最小限の寸法に抑える事ができ非常に小径のアクチエータとする事ができる。
【００３０】
【発明の効果】
以上詳記したように、本発明によれば、少なくとも外周面が周方向に分割して異なる極に交互に着磁され回転中心を中心として回転可能なマグネットを備え、該マグネットの軸方向にコイルを配置し、前記コイルにより励磁される外側磁極部 と内側磁極部が前記マグネットの外周面及び内周面に対向したステータと前記マグネットと一体的に構成された羽根駆動ピンとからなる駆動装置と、開口部を備えた地板と、前記駆動装置の羽根駆動ピンにより駆動され前記地板の開口部の開口量を調節する光量調節羽根とから光量調節装置を構成した事により、マグネットの外周面と内周面に対向する外側磁極部と内側磁極部とでマグネットを挟む磁路となるので磁気抵抗が少なくまたコイルにより発生する磁力線が効果的にマグネットに作用する為出力の高いアクチエータとなり結果的にコンパクトで安定した動作特性を備えたシャッタ装置となる。
【００３１】
また駆動ピンはマグネットと一体的に成形されるので別部品で構成される場合に比べ低コストで少ない組み立て誤差となる。ステータ３の外側磁極をマグネット１の軸方向と平行方向に延出する歯により構成しているのでステータ３の直径はマグネット直径に磁気ギャップと自らの肉厚を加えた最小限の寸法に抑える事ができ非常に小径のアクチエータとする事ができる。
【００３２】
また上記に記載のモータを備え光量調整装置において、前記ステータの外側磁極部は前記マグネットの外周部に所定の角度範囲のみに対向する歯により構成され、前記マグネットに一体的に構成された前記羽根駆動ピンは前記外側磁極が対向していないマグネットの範囲に形成されている事により、駆動ピン１ｄは外側磁極とは離れたところに位置する為駆動ピンを永久磁石の材料で構成し駆動ピンが着磁されても駆動ピン部における発生する電磁力は非常に小さくマグネット全体の出力特性に影響を及ぼさずシャッタ装置の安定したアクチエータとする事ができる。
【００３３】
また、マグネットの回転軸に関して外側磁極とは重複する位置に駆動ピンを配置できるので概略円筒形状の本アクチエータの軸方向の長さＬを低く抑える事もできる。
【００３４】
上記構成において前記コイルはマグネットと軸方向に配置されるので図３においてＨで示す寸法に関して地板上において多くの範囲を占めないコンパクトなアクチエータとなる。
【図面の簡単な説明】
【図１】図１は本発明の実施例の光量調節装置の分解斜視図である。
【図２】図２は光量調節装置の断面図である。
【図３】図３は非通電時の図２のＡ−Ａ断面図である。
【図４】図４はコイルへ最大通電時の図２のＡ−Ａ断面図である。
【図５】図５は従来のシャッタ羽根駆動装置である。
【符号の説明】
１      マグネット
２      コイル
３      ステータ
４      補助ステータ
５      地板
６      トーションスプリング
７，８    羽根
９      前地板
【図１】
0004636658.tif 000002
【図２】
0004636658.tif 000003
【図３】
0004636658.tif 000004
【図４】
0004636658.tif 000005
【図５】
0004636658.tif 000006